(57)【要約】    【課題】      無線端末装置への負荷を増加させることなく、システム間ハンドオーバを容易に実現すること。    【解決手段】  第一の無線通信システムの基地局１０１が無線セル１０２に配置され且つマルチモード無線端末１００が無線セル１０２に在圏し基地局１０１と接続している状況において、第一の無線通信システムの基地局１０１は、無線セル１０２を包含する無線セル１０４に配置された第二の無線通信システムの基地局１０３に関するシステム情報を検出し、検出されたシステム情報をマルチモード無線端末１００に報知する。  【選択図】      図１
2005269109.tif 000002
【特許請求の範囲】
【請求項１】
所定の無線通信システムに属するセルに配置された無線基地局装置であって、
前記セルに在圏している無線端末装置の接続セルを包含する包含セルを有する無線通信システムに関するシステム情報を取得する取得手段と、
取得されたシステム情報を前記無線端末装置に報知する報知手段と、
を有する無線基地局装置。
【請求項２】
前記取得手段は、
前記接続セルおよび前記包含セルのいずれかに配置された無線基地局装置から送信され且つ前記包含セルを有する無線通信システムに関するシステム情報を検出する検出手段を有し、
前記報知手段は、
検出されたシステム情報を、前記所定の無線通信システムに対応したフレーム信号の所定位置に格納する格納手段を有する請求項１記載の無線基地局装置。
【請求項３】
書き換え可能なプログラマブルデバイスを有し、当該プログラマブルデバイスを書き換えることにより、少なくとも前記所定の無線通信システムを含む複数の無線通信システムに対応可能となるよう再構成される無線手段をさらに有する請求項１記載の無線基地局装置。
【請求項４】
前記無線手段が再構成されるときに必要な構成情報を構成情報記憶部に登録する登録手段をさらに有する請求項３記載の無線基地局装置。
【請求項５】
前記登録手段は、
前記無線手段が再構成されるときに必要な構成情報が前記構成情報記憶部に予め登録されていない場合に当該構成情報を取得する請求項４記載の無線基地局装置。
【請求項６】
検出されたシステム情報を記憶するシステム情報記憶手段をさらに有する請求項２記載の無線基地局装置。
【請求項７】
接続セルを包含する包含セルを有する無線通信システムに関するシステム情報を、所定の無線通信システムに属するセルに配置された無線基地局装置から受信する受信手段と、
受信されたシステム情報に基づきシステム間ハンドオーバ処理を実行する実行手段と、
を有する無線端末装置。
【発明の詳細な説明】
【技術分野】
【０００１】
本発明は、無線基地局装置および無線端末装置に関し、特に、二つ以上の異なる無線通信システムによる通信が可能な無線端末装置および当該無線端末装置と通信を行う無線基地局装置に関するものである。
【背景技術】
【０００２】
従来、二つ以上の異なる無線通信システムに対応したマルチモード無線端末として、例えば世界中で最も普及している携帯電話の方式の一つであるＧＳＭ（Global System for Mobile Communications）と、コストや通信速度の点で優れているＰＨＳ（Personal Handy-phone System）の両方で通信可能な通信端末の実用化が検討されている。通常このようなマルチモード無線端末は、一方の通信システムにおいて通信状態あるいは待ち受け状態にあるときに他方の通信システムへ切替えるシステム間ハンドオーバ機能を有する。
【０００３】
このようなマルチモード無線端末を実現するための構成としては、例えば、様々な無線通信システムの無線信号を送受信可能なマルチモード送受信部１０と、通信に必要な変調、フィルタ、音声コーデックなどの様々な機能をＤＳＰ（Digital Signal Processor）やＦＰＧＡ（Field Programmable Gate Array）に組み込むプログラムによってフレキシブルに実現可能なプログラマブル処理部１１と、複数の無線通信システム間でハンドオーバ制御を行う際に利用されるシステム切替えプログラム１２と、各無線通信システムの通信品質を検出する通信品質検出プログラム１３と、それまでとは異なる通信システムと通信する際に必要な機能をプログラマブル処理部１１に追加するための制御を行う際に利用されるモジュール追加プログラム１４と、不要になった通信システムに対応する機能をプログラマブル処理部１１から解放する際に利用されるモジュール解放プログラム１５と、上述のプログラムを実行する通信制御部１６と、複数の無線通信システムに対応したプログラムやデータを備える多数のソフトウェアモジュールが保持されているソフトウェアモジュールライブラリ１７と、表示部１８と、操作ボード１９と、音声処理部２０と、を具備する場合がある。そして、このソフトウェアモジュールをプログラマブル処理部１１および通信制御部１６に組み込むことにより複数の無線通信システムに対応する通信を行うことができるものがある（例えば、特許文献１参照）。図１９は、特許文献１に記載された従来のマルチモード無線端末の構成を示すものである。
【０００４】
前述のようなマルチモード無線端末において、使用する無線通信システムの選択方法は特に限定されるものではないが、例えばマルチモード無線端末が第一の無線通信システムとは異なる利用可能な第二の無線通信システムのシステム情報を検出すると、現時点で接続が確立している無線通信システム、すなわち第一の無線通信システムでの通信状態を保持しつつ、間欠的に第二の無線通信システムの信号を受信し、受信電界強度を測定する。そして第一の無線通信システムと第二の無線通信システムの受信電界強度を比較し、受信強度が高い無線通信システムを選択するといったマルチモード無線端末が自律的に使用する無線通信システムを選択する方法がある（例えば、特許文献２参照）。
【特許文献１】特開２００１−５４１６８号公報（第３−９頁、図１）
【特許文献２】特開２００３−１７４６６０号公報（第６−７頁、図２、５、６）
【発明の開示】
【発明が解決しようとする課題】
【０００５】
しかしながら、前記従来の構成では、マルチモード無線端末の構成、および無線通信システムの切り替え方法については開示されているものの、マルチモード無線端末が、現在接続が確立している無線通信システム以外の無線通信システムの無線セルがマルチモード無線端末の周囲に存在するか否かを知る方法については開示されていない。つまり、これら従来の構成では、マルチモード無線端末の周囲に現在接続が確立している無線通信システム以外の無線通信システムの無線セルが存在しない場合でも、マルチモード無線端末は他の無線通信システムの無線セルの存在を検出しようと試みるため、極端な場合では、マルチモード無線端末が対応可能な通信システム全ての無線セルを検出しようとし、ひいてはマルチモード無線端末の負荷が増大するという課題があった。
【０００６】
本発明は、かかる点に鑑みてなされたもので、無線端末装置への負荷を増加させることなく、システム間ハンドオーバを容易に実現することができる無線基地局装置および無線端末装置を提供することを目的とする。
【課題を解決するための手段】
【０００７】
本発明の無線基地局装置は、所定の無線通信システムに属するセルに配置された無線基地局装置であって、前記セルに在圏している無線端末装置の接続セルを包含する包含セルを有する無線通信システムに関するシステム情報を取得する取得手段と、取得されたシステム情報を前記無線端末装置に報知する報知手段と、を有する構成を採る。
【０００８】
この構成によれば、所定の無線通信システムに属するセルに在圏している無線端末装置の接続セルを包含する包含セルを有する無線通信システムに関するシステム情報を、前記セルに配置された無線基地局装置で取得し、前記無線端末装置に報知するため、例えばマルチモードを有する無線端末装置が対応可能な全ての無線通信システムをマルチモード無線端末自身で探索する必要がなくなり、よって、無線端末装置への負荷を増加させることなく、システム間ハンドオーバを容易に実現することができる。
【０００９】
本発明の無線基地局装置は、上記構成において、前記取得手段は、前記接続セルおよび前記包含セルのいずれかに配置された無線基地局装置から送信され且つ前記包含セルを有する無線通信システムに関するシステム情報を検出する検出手段を有し、前記報知手段は、検出されたシステム情報を、前記所定の無線通信システムに対応したフレーム信号の所定位置に格納する格納手段を有する構成を採る。
【００１０】
この構成によれば、包含セルを有する無線通信システムに関するシステム情報の無線端末装置への報知を、所定の無線通信システムに対応したフレームフォーマットに従って行うことができる。
【００１１】
本発明の無線基地局装置は、上記構成において、書き換え可能なプログラマブルデバイスを有し、当該プログラマブルデバイスを書き換えることにより、少なくとも前記所定の無線通信システムを含む複数の無線通信システムに対応可能となるよう再構成される無線手段をさらに有する構成を採る。
【００１２】
この構成によれば、複数の無線通信システムにそれぞれ対応可能に予め構成された複数の無線手段を設ける必要をなくし、装置全体の構成を簡略化することができる。
【００１３】
本発明の無線基地局装置は、上記構成において、前記無線手段が再構成されるときに必要な構成情報を構成情報記憶部に登録する登録手段をさらに有する構成を採る。さらに、本発明の無線基地局装置は、上記構成において、前記登録手段は、前記無線手段が再構成されるときに必要な構成情報が前記構成情報記憶部に予め登録されていない場合に当該構成情報を取得する構成を採る。
【００１４】
これらの構成によれば、無線手段の再構成を容易に行うことが可能となる。
【００１５】
本発明の無線基地局装置は、上記構成において、検出されたシステム情報を記憶するシステム情報記憶手段をさらに有する構成を採る。
【００１６】
この構成によれば、検出されたシステム情報を記憶することにより、システム情報を一元的な管理を行うことが可能となる。
【００１７】
本発明の無線端末装置は、接続セルを包含する包含セルを有する無線通信システムに関するシステム情報を、所定の無線通信システムに属するセルに配置された無線基地局装置から受信する受信手段と、受信されたシステム情報に基づきシステム間ハンドオーバ処理を実行する実行手段と、を有する構成を採る。
【００１８】
この構成によれば、接続セルを包含する包含セルを有する無線通信システムに関するシステム情報を無線基地局装置から受信し、受信されたシステム情報に基づきシステム間ハンドオーバ処理を実行するため、無線端末装置への負荷を増加させることなく、システム間ハンドオーバを容易に実現することができる。
【発明の効果】
【００１９】
以上説明したように、本発明によれば、無線端末装置への負荷を増加させることなく、システム間ハンドオーバを容易に実現することができる。
【発明を実施するための最良の形態】
【００２０】
本発明の骨子は、所定の無線通信システムに属するセルに在圏している無線端末装置の接続セルを包含する包含セルを有する無線通信システムに関するシステム情報を、前記セルに配置された無線基地局装置で取得し、前記無線端末装置に報知することである。
【００２１】
以下、本発明の実施の形態について、図面を用いて詳細に説明する。
【００２２】
（実施の形態１）
図１は、本発明の実施の形態１における無線通信システムの構成の一例を示す図である。図１においてマルチモード無線端末１００は、第一の無線通信システム、および第一の無線通信システムとは異なる第二の無線通信システムと通信することが可能である。また、マルチモード無線端末１００は、第一の無線通信システムの無線セル１０２内に位置し、第一の無線通信システムの基地局１０１との接続が確立しており、通信状態あるいは待ち受け状態にあるものとする。
【００２３】
第一の無線通信システムの基地局１０１は、無線セル１０２内に存在するマルチモード無線端末１００と通信することが可能であり、無線セル１０２内の無線チャネルの占有状況、無線端末の位置登録情報などを定期的にモニタし、これらのモニタ情報と基地局１０１が用いている制御チャネルなどのシステム情報をマルチモード無線端末１００に定期的に送信している。また、基地局１０１は、マルチモード無線端末１００との接続を保持しつつ、第二の無線通信システムの基地局１０３から送信される無線信号を間欠的に受信することが可能である。
【００２４】
第二の無線通信システムの基地局１０３は、無線セル１０４内の無線チャネルの占有状況、無線端末の位置登録情報などを定期的にモニタし、これらのモニタ情報と基地局１０３が用いている制御チャネルなどのシステム情報を無線セル１０４内に存在する無線端末に定期的に送信している。また、マルチモード無線端末１００と通信することが可能である。
【００２５】
図２は、本発明の実施の形態１における第一の無線通信システムの基地局１０１の構成の一例を示すブロック図である。図２において基地局１０１は、第一の無線通信システム用アンテナを有する第一の無線部２００と、第二の無線通信システム用アンテナを有する第二の無線部２０１と、第二の無線部２０１の出力信号から第二の無線通信システムに関するシステム情報を検出するシステム検出部２０２と、基地局１０１の動作を制御する制御部２０３と、基地局１０１がマルチモード無線端末１００と通信する際に用いる第一の無線通信システムに対応した所定のフレーム単位で構成された信号を生成するフレーム生成部２０４と、第一の無線通信システムに関するシステム情報と、第二の無線通信システムに関するシステム情報を格納するためのビーコンフレームを生成するビーコン生成部２０５と、ユーザデータを格納するためのデータ生成部２０６を具備する。
【００２６】
前記第一の無線部２００の入力端子は、制御部２０３とフレーム生成部２０４の出力端子に接続されている。前記第二の無線部２０１の入力端子は、制御部２０３の出力端子に接続されている。前記システム検出部２０２の入力端子は、第二の無線部２０１の出力端子に接続されている。前記フレーム生成部２０４の入力端子は制御部２０３の出力端子に接続されている。前記ビーコン生成部２０５の入力端子は、システム検出部２０２の出力端子に接続されている。
【００２７】
図３は、本発明の実施の形態１におけるマルチモード無線端末１００の構成の一例を示すブロック図である。図３においてマルチモード無線端末１００は、第一の無線通信用アンテナを有する第一の無線部３００と、第二の無線通信システム用アンテナを有する第二の無線部３０１と、第一の無線部３００の出力信号から第一、および第二の無線通信システムに関するシステム情報を検出するシステム検出部３０２と、マルチモード無線端末１００が利用可能な無線通信システムに関するシステム情報などを予め登録しておく記憶部３０３と、システム検出部３０２で検出した無線通信システムがマルチモード無線端末１００にとって利用可能なシステムであるか否かを判断する判断部３０４と、前記判断部３０４の判断結果に基づいてマルチモード無線端末１００が通信に用いる無線通信システムを選択するシステム選択部３０５と、マルチモード無線端末の動作を制御する制御部３０６を具備する。
【００２８】
前記第一の無線部３００の入力端子は、制御部３０６の出力端子に接続されている。前記第二の無線部３０１の入力端子は、制御部３０６の出力端子に接続されている。前記システム検出部３０２の入力端子は、第一の無線部３００の出力端子に接続されている。前記判断部３０４の入力端子は、システム検出部３０２と記憶部３０３の出力端子に接続されている。制御部３０６の入力端子は、システム選択部３０５の出力端子に接続されている。
【００２９】
次いで、上記構成を有する基地局１０１およびマルチモード無線端末１００の動作について説明する。ここでは、第一の無線通信システムの基地局１０１がマルチモード無線端末１００との接続が確立しているときに、前記基地局１０１が第一の無線通信システムとは異なる第二の無線通信システムに関するシステム情報を検出した場合に、前記基地局１０１が第一の無線通信システムを用いて前記マルチモード無線端末１００に第二の無線通信システムに関するシステム情報を報知する方法について説明する。
【００３０】
本実施の形態では、一例として図１に示すように第一の無線通信システムの無線セル１０２と第二の無線通信システムの無線セル１０４の位置関係は、無線セル１０２が無線セル１０４に含まれる包含関係にあるものとする。また、第一の無線通信システム、および第二の無線通信システムでは所定のフレーム単位で通信が行われているものとし、前記第一の無線通信システムを無線ＬＡＮ規格の一つであるＩＥＥＥ８０２．１１ｂ、前記第二の無線通信システムを携帯電話の規格の一つであるＧＳＭ（Global System for Mobile communications）とする。
【００３１】
まず、第一の無線通信システムすなわちＩＥＥＥ８０２．１１ｂの基地局１０１の構成、および動作について説明する。
【００３２】
図２において、第一の無線部２００は、ＩＥＥＥ８０２．１１ｂに対応した通信仕様、および手順に基づき、フレーム生成部２０４から入力されるフレーム信号ｓ１に対して変調、周波数変換、増幅などの所定の送信処理を施し、マルチモード無線端末１００へ定期的に送信するとともに、マルチモード無線端末１００から送信された無線信号を定期的に受信、復調する。これらの動作は、制御部２０３から入力される制御信号ｓ５に基づいて行われる。なお、本発明では、その詳細な構成は特に限定されるものではない。
【００３３】
第二の無線部２０１は、ＧＳＭに対応した通信仕様および手順に基づき、ＧＳＭの基地局１０３から送信された無線信号を定期的に受信し、前記基地局１０３から送信された無線信号を受信できたときには、受信信号を復調し、復調後の受信信号ｓ２をシステム検出部２０２へ出力するものである。例えばＧＳＭでは、ＢＣＣＨ（Broadcast Control Channel）を使用して端末局に制御情報などを報知しているので、このＢＣＣＨを定期的に受信する。これらの動作は、制御部２０３から入力される制御信号ｓ６に基づいて行われる。なお、本発明では、その詳細な構成は特に限定されるものではない。
【００３４】
システム検出部２０２は、前記第二の無線部２０１から受信信号ｓ２が入力されたときに、受信信号ｓ２からＧＳＭに関するシステム情報ｓ３を検出することによりＧＳＭの無線セルの存在を検出し、フレーム生成部２０４内のビーコン生成部２０５へ出力する。ここでシステム情報ｓ３とは、特に限定されるものではないが、例えばＧＳＭでは、ＢＣＣＨを使用して端末局に通知しているＬＡＣ（Location Area Code）やＲＡＣ（Routing Area Code）やＭＮＣ（Mobile Network Code）などである。
【００３５】
フレーム生成部２０４は、基地局１０１がマルチモード無線端末１００との通信に用いるＩＥＥＥ８０２．１１ｂに対応したフレーム信号ｓ１を生成し、生成したフレーム信号ｓ１を第一の無線部２００へ出力するものである。本実施の形態では一例として、ＩＥＥＥ８０２．１１ｂ、またはＧＳＭに関するシステム情報を格納するためのビーコンフレームを生成するビーコン生成部２０５と、ユーザデータを格納するためのデータフレームを生成するデータ生成部２０６を具備し、前記制御部２０３から入力される制御信号ｓ４に基づいて、ビーコン生成部２０５、またはデータ生成部２０６が動作する。すなわち、システム検出部２０２によって第二の無線通信システムの存在が検出された場合、フレーム生成部２０４では、第二の無線通信システムの存在を報知するためのフレーム信号ｓ１が生成されることとなる。
【００３６】
ビーコン生成部２０５は、前記フレーム生成部２０４が、制御部２０３から入力された制御信号ｓ４によってビーコンフレームを生成するように指示された場合に動作し、ＩＥＥＥ８０２．１１ｂ、またはＧＳＭに関するシステム情報をマルチモード無線端末１００へ報知するために用いられるビーコンフレームを生成するものである。ビーコンフレームについて詳細に説明すると、例えばＩＥＥＥ８０２．１１ｂでは、ＭＡＣ（Medium Access Control）副層において、無線局間でやり取りされる無線パケットのフレーム構成を定義している。ＭＡＣ副層とは無線ネットワーク環境において、無線端末がどのようなタイミングで相手にデータを送り出せば適切に通信できるかなどの制御を行うものである。ＭＡＣ副層で定義されるフレームには（１）マネージメントフレーム、（２）データフレーム、（３）制御フレームの３種類がある。さらにマネージメントフラグは、（１）ビーコンフレーム、（２）オーセンティケーションフレーム、（３）アソシエーションフレームなどが定義されている。
【００３７】
ここでビーコンフレームは、マルチモード無線端末１００（以下、単に「端末局１００」とも言う）に無線セルの存在を報知するために用いられるフレームである。また、ＩＥＥＥ８０２．１１ｂのインフラストラクチャモードでは、基地局１０１が、ビーコンフレームを含む信号を端末局１００に周期的に送信し、自局の無線セル１０２の存在を端末局１００に知らせている。図４にＩＥＥＥ８０２．１１ｂのＭＡＣ副層フレームの基本構成を示す。
【００３８】
図４においてフレームコントロールにはＭＡＣプロトコルのバージョン、フレームのタイプなどの制御情報が格納されており、フレームタイプを指定することにより、上述の複数種類のフレームを区別している。デュレーションには無線回線を使用する予定時間が格納されている。ＤＡ（Destination Address）には送信先ＭＡＣアドレスが格納されている。ＳＡ（Source Address）には送信元ＭＡＣアドレスが格納されている。ＢＳＳＩＤ（Basic Address Service Identification）には各無線セル（ＢＳＳ）の識別子が格納されている。フレームボディには送信データが格納されており、無線セル１０２の存在を示すシステム情報もここに格納される。
【００３９】
特にビーコンフレームの場合には、フレームボディの内容は図４のようになる。ＦＣＳ（Frame Check Sequence）にはＭＡＣヘッダとフレームボディの誤り検出符号が格納されている（“Part 11: Wireless LAN Medium Access Control (MAC) and Physical Layer (PHY) Specifications”, IEEE Standard for Information Technology, ANSI/IEEE Std 802.11, 1999 Edition参照）。本実施の形態では一例として、図５に示すようにフレームボディ内に第一の無線通信システムすなわちＩＥＥＥ８０２．１１ｂ用ビーコンフレームボディと、第二の無線通信システムすなわちＧＳＭ用ビーコンフレームボディを用意し、それぞれにＩＥＥＥ８０２．１１ｂに関するシステム情報と、システム検出部２０２で検出したＧＳＭに関するシステム情報ｓ３を格納することとする。
【００４０】
データ生成部２０６は、前記フレーム生成部２０４が、制御部２０３から入力された制御信号ｓ４によってデータフレームを生成するように指示された場合に動作し、ユーザデータを伝送する際に用いられるデータフレームを生成するものである。データフレームの構成はフレームボディ以外は図４に示す構成となりビーコンフレームの構成と同じであり、フレームボディにユーザデータを格納し、データフレームを生成する。
【００４１】
制御部２０３は、基地局１０１の動作を制御するものであり、前記第一の無線部２００、第二の無線部２０１に対して、間欠接続のタイミングなどを制御するための制御信号ｓ５、およびｓ６を出力する。また、フレーム生成部２０４に対して、ビーコンフレーム、またはデータフレームを所定のタイミングで生成するように制御するための制御信号ｓ４を出力する。
【００４２】
具体的な制御例として、制御部２０３の制御信号に基づく基地局１０１の動作について説明する。図６は、基地局１０１が第一の無線通信システムすなわちＩＥＥＥ８０２．１１ｂを用いてマルチモード無線端末１００と通信している際に、第二の無線通信システムすなわちＧＳＭに関するシステム情報を検出し、前記システム情報をマルチモード無線端末１００に報知するまでの動作を示している。
【００４３】
図６に示すように、まず時間ｔ１ではマルチモード無線端末１００にユーザデータを送信するために、制御部２０３はフレーム生成部２０４に制御信号ｓ４を出力し、フレーム生成部２０４は内部のデータ生成部２０６でデータフレームを生成し、第一の無線部２００へ出力する。時間ｔ２で制御部２０３は制御信号ｓ５を第一の無線部２００へ出力し、第一の無線部２００は制御信号ｓ５に基づいてマルチモード無線端末１００へデータフレームを送信する。時間ｔ３以降所定の時間マルチモード無線端末１００との通信が続いた後、時間ｔ４で制御部２０３は間欠的にＧＳＭの基地局１０３から送信される無線信号を受信するために、第二の無線部２０１へ制御信号ｓ６を出力し、第二の無線部２０１は制御信号ｓ６に基づいてＧＳＭの基地局１０３から送信される無線信号を受信し、受信信号ｓ２をシステム検出部２０２へ出力する。このとき第一の無線部２００はマルチモード無線端末１００との接続を保持している。
【００４４】
時間ｔ５でシステム検出部２０２は受信信号ｓ２からＧＳＭに関するシステム情報を検出し、検出したシステム情報ｓ３をフレーム生成部２０４内のビーコン生成部２０５へ出力する。時間ｔ６で制御部２０３はフレーム生成部２０４へ制御信号ｓ４を出力し、フレーム生成部２０４は内部のビーコン生成部２０５でＩＥＥＥ８０２．１１ｂに関するシステム情報と前記検出したＧＳＭに関するシステム情報ｓ３を格納したビーコンフレームを生成し、第一の無線部２００へ出力する。時間ｔ７で制御部２０３は制御信号ｓ５を第一の無線部２００へ出力し、第一の無線部２００は制御信号ｓ５に基づいてマルチモード無線端末１００へビーコンフレームを送信する。以後、同様の動作を繰り返す。
【００４５】
次に、マルチモード無線端末１００の構成、および動作について説明する。
【００４６】
図３において、第一の無線部３００は、ＩＥＥＥ８０２．１１ｂに対応した通信仕様、および手順に基づき、ユーザデータなどの信号に対して、変調、周波数変換、増幅などの所定の送信処理を行い、ＩＥＥＥ８０２．１１ｂの基地局１０１へ定期的に送信するとともに、基地局１０１から送信された前記ビーコンフレーム、またはデータフレームを含む無線信号を定期的に受信、復調し、受信信号ｓ７をシステム検出部３０２へ出力するものである。これらの動作は、制御部３０６から入力される制御信号ｓ１２に基づいて行われる。なお、本発明ではその詳細な構成は、特に限定されるものではない。
【００４７】
第二の無線部３０１は、ＧＳＭに対応した通信仕様、および手順に基づき、ユーザデータなどの信号に対して、変調、周波数変換、増幅などの所定の送信処理を行い、ＧＳＭの基地局１０３へ定期的に送信するとともに、前記基地局１０３から送信された無線信号を定期的に受信、復調するものである。これらの動作は、制御部３０６から入力される制御信号ｓ１３に基づいて行われる。なお、本発明ではその詳細な構成は、特に限定されるものではない。
【００４８】
システム検出部３０２は、前記第一の無線部３００から入力された受信信号ｓ７からＩＥＥＥ８０２．１１ｂ、およびＧＳＭに関するシステム情報の一方、もしくは両方を検出し、検出したシステム情報ｓ８を判断部３０４へ出力するものである。
【００４９】
記憶部３０３は、マルチモード無線端末１００が利用可能な一つまたは複数の無線通信システムに関するシステム情報ｓ９を予め登録しておくものであり、本実施の形態では、一例としてＩＥＥＥ８０２．１１ｂ、およびＧＳＭに関するシステム情報が予め登録されているものとする。
【００５０】
判断部３０４は、前記システム検出部３０２において検出したシステム情報ｓ８と前記記憶部３０３に予め登録されているシステム情報ｓ９を比較することにより、システム検出部３０２で検出した無線通信システムがマルチモード無線端末１００にとって利用可能なシステムであるか否かを判断し、判断結果ｓ１０をシステム選択部３０５へ出力する。より具体的に説明すると、判断部３０４はシステム検出部３０２から検出したシステム情報ｓ８が入力されると、検出した無線通信システムがマルチモード無線端末１００において利用可能なシステムであるか否かを判断するために、記憶部３０３から予め登録しておいた利用可能な無線通信システムに関するシステム情報ｓ９を取得し、検出したシステム情報ｓ８と予め登録しておいたシステム情報ｓ９を比較する。比較した結果、検出したシステム情報ｓ８が予め登録しておいたシステム情報ｓ９のいずれかと一致した場合には、検出したシステムが利用可能であると判断し、一致しなかった場合には検出したシステムは利用不可と判断する。本実施の形態では、記憶部３０３には予めＩＥＥＥ８０２．１１ｂ、およびＧＳＭに関するシステム情報が登録されているので、ＩＥＥＥ８０２．１１ｂ、ＧＳＭともに利用可能であると判断する。
【００５１】
システム選択部３０５は、判断結果ｓ１０を入力とし、前記システム検出部３０２で検出したＧＳＭが利用不可能なシステムであった場合には、システム選択部３０５は引き続きＩＥＥＥ８０２．１１ｂを選択し、逆にＧＳＭが利用可能なシステムであった場合には、現在接続が確立している無線通信システム、すなわちＩＥＥＥ８０２．１１ｂと、新たに検出した無線通信システム、すなわちＧＳＭから以降の通信に使用する無線通信システムを選択し、選択結果ｓ１１を制御部３０６へ出力する。本発明では無線通信システムの選択方法は特に限定されるものではないが、例えばそれぞれの無線通信システムの受信電界強度を比較し、受信電界強度が大きいシステムを選択する方法がある。
【００５２】
制御部３０６は、マルチモード無線端末１００の動作を制御するものであり、第一の無線部３００、および第二の無線部３０１に対して、間欠接続のタイミングなどを制御するための制御信号ｓ１２、およびｓ１３を出力する。
【００５３】
次に具体的な制御例として、制御部３０６の制御信号に基づくマルチモード無線端末１００の動作例について説明する。図７は、マルチモード無線端末１００がＩＥＥＥ８０２．１１ｂを用いてＩＥＥＥ８０２．１１ｂの基地局１０１と通信しているときに、通信に用いるシステムをＧＳＭへ切替えるまでの動作を示している。
【００５４】
図７に示すように、まず時間ｔ１で制御部３０６は第一の無線部３００に制御信号ｓ１２を出力し、第一の無線部３００は制御信号ｓ１２に基づいて、ＩＥＥＥ８０２．１１ｂの基地局１０１との通信を開始する。時間ｔ２以降所定の時間基地局１０１との通信が続き、時間ｔ３で第一の無線部３００は基地局１０１から送信されたＧＳＭに関するシステム情報を含むビーコンフレーム信号を受信した場合には、受信信号ｓ７をシステム検出部３０２へ出力する。
【００５５】
時間ｔ４でシステム検出部３０２は受信信号ｓ７からＧＳＭに関するシステム情報を検出し、検出したＧＳＭに関するシステム情報ｓ８を判断部３０４へ出力する。時間ｔ５で判断部３０４はシステム検出部３０２で検出した無線通信システムがマルチモード無線端末１００において利用可能なシステムか否かを判断するために、記憶部３０３から予め登録してある利用可能な無線通信システムに関するシステム情報ｓ９を取得し、検出したシステム情報ｓ８と登録してあるシステム情報ｓ９を比較し、判断結果ｓ１０をシステム選択部３０５へ出力する。本実施の形態では、システム情報ｓ８が登録してあるシステム情報ｓ９と一致し、検出したＧＳＭは利用可能であると判断する。
【００５６】
時間ｔ６でシステム選択部３０５は以降の通信で用いるシステムを選択する。ここではＧＳＭを選択したこととし、選択結果ｓ１１を制御部３０６へ出力する。時間ｔ７で制御部３０６はシステム選択部３０５の選択結果ｓ１１に基づいて、マルチモード無線端末１００が以降の通信にＧＳＭを用いるように制御する。まず制御信号ｓ１２を第一の無線部３００へ出力し、第一の無線部３００はＩＥＥＥ８０２．１１ｂの基地局１０１との通信を終了する。次に時間ｔ８で制御部３０６は制御信号ｓ１３を第二の無線部３０１へ出力し、第二の無線部３０１はＧＳＭの基地局１０３との通信を開始する。
【００５７】
以上の構成により、本実施の形態によれば、第一の無線通信システムの基地局１０１が自局で使用している第一の無線通信システムとは異なる第二の無線通信システムをシステム検出部２０２で検出すると、第二の無線通信システムに関するシステム情報をビーコンフレームに格納し、このビーコンフレームを第一の無線通信システムを用いてマルチモード無線端末１００に定期的に送信することにより、マルチモード無線端末１００に現在接続が確立している無線通信システムとは異なる無線通信システムの無線セルの存在を報知することができる。
【００５８】
なお、本実施の形態では、第一の無線通信システムをＩＥＥＥ８０２．１１ｂ、第二の無線通信システムをＧＳＭとしたが、これに限定されるものではない。第一の無線通信システムの基地局１０１の無線セル１０２が第二の無線通信システムの基地局１０３の無線セル１０４に含まれる関係が成り立つシステムであればどのような無線通信システムでもよく、例えば第一の無線通信システムをＢｌｕｅｔｏｏｔｈ、第二の無線通信システムをＰＤＣとしても良い。
【００５９】
また、本実施の形態では、ＩＥＥＥ８０２．１１ｂのビーコンフレームのフレームボディを第一の無線通信システム用のフレームボディと第二の無線通信システム用のフレームボディに分け、それぞれにＩＥＥＥ８０２．１１ｂに関するシステム情報と、ＧＳＭに関するシステム情報を格納する構成にしたが、これに限定されるものではない。例えばＩＥＥＥ８０２．１１ｂのビーコンフレームのフレームボディは詳細には図４のような構成になっている。そこで第二の無線通信システムに関するシステム情報が、図４に示すビーコンフレームボディを構成するいずれかの要素に対応する情報で構成されている場合には、対応する情報要素のフィールドにのみ第二の無線通信システムに関するシステム情報を格納するようにしてもよい。例えば、ビーコンフレームボディの情報要素の一つであるサポーテッドレートに第一の無線通信システムの伝送レートに加え第二の無線通信システムの伝送レートを格納するようにすればよい。その他の情報要素についても同様である。
【００６０】
また、本実施の形態では、ＩＥＥＥ８０２．１１ｂのビーコンフレームのフレームボディを第一の無線通信システム用のフレームボディと第二の無線通信システム用のフレームボディに分け、それぞれにＩＥＥＥ８０２．１１ｂに関するシステム情報と、ＧＳＭに関するシステム情報を格納する構成としたが、これに限定されるものではない。例えば、図５におけるＭＡＣフレームフォーマットのフレームコントロール内のタイプ値、サブタイプ値には予約分がある。そこでこの予約分を使用して、第一の無線通信システムとは異なる新たなシステムに関するシステム情報を格納するためのビーコンフレームを設けてもよい。
【００６１】
また、本実施の形態では、ＧＳＭに関するシステム情報をマルチモード無線端末に報知する際に、ビーコンフレームを用いる構成にしたが、これに限るものではない。ＩＥＥＥ８０２．１１ｂのマネージメントフレームのひとつであるオーセンティケーションフレームを使用する構成にしてもよいし、その他のフレームを使用する構成にしてもよい。この場合も基本的なフレーム構成は図４に示す構成と同様であるので、フレームボディ内にシステム情報を格納すればよい。
【００６２】
また、本実施の形態では、第二の無線部２０１は、第二の無線通信システムの無線信号を受信する構成にしたが、これに限定されるものではなく、第二の無線通信システム以外の無線通信システムの無線信号を受信してもよく、システム検出部２０２は第二の無線通信システム以外のシステムを検出してもよい。これにより第一の無線通信システムの基地局１０１は、複数の無線通信システムの無線セルの存在をマルチモード無線端末に報知することができる。
【００６３】
また、本実施の形態では、システム選択部３０５は、第一の無線通信システムと第二の無線通信システムのいずれかを選択する構成にしたが、これに限定されるものではない。第一、第二の無線通信システム以外の無線通信システムを検出した場合には、判断部３０４でその無線通信システムの有効性を判断し、その判断結果に基づいてシステム選択してもよい。
【００６４】
また、本実施の形態では、マルチモード無線端末１００が通信に使用しているシステムを第一の無線通信システムから第二の無線通信システムに切替える際に、いったん第一の無線通信システムでの通信を終了し、その後第二の無線通信システムでの通信を開始する構成にしたが、これに限るものではない。第一の無線通信システムの基地局１０１との接続を保持したまま、第二の無線通信システムの基地局１０３と接続し、基地局１０３との接続が確認できた段階で第一の無線通信システムでの通信を終了するようにしてもよい。
【００６５】
また、本実施の形態では、第一の無線通信システムの基地局１０１、およびマルチモード無線端末１００は、第一の無線通信システムに対応した第一の無線部２００と、第二の無線通信システムに対応した第二の無線部２０１を独立に具備する構成としたが、これに限定されるものではない。たとえば、ソフトウェアの書き換えなどにより再構成可能なプログラマブルデバイスを用いて複数の無線通信システムに対応可能な無線部を具備する構成にしてもよい。この場合、無線部の再構成に必要な情報は記憶部に登録しておき、制御部２０３からの信号に応じて、使用する無線通信システムに対応した構成情報を記憶部から取り出し、無線部を再構成すればよい。また、無線部の再構成に必要な構成情報が記憶部に登録されていない場合には、インターネットなどを通じて、必要な情報をダウンロードする構成にしてもよい。
【００６６】
（実施の形態２）
図８は、本発明の実施の形態２における無線通信システムの構成の一例を示す図である。図８おいて、図１と同じ構成要素については同じ参照番号を用い、その詳細な説明を省略する。
【００６７】
図８においてマルチモード無線端末５００は、第一の無線通信システム、第一の無線通信システムとは異なる第二の無線通信システム、および前記第一、第二の無線通信システムとは異なる第三の無線通信システムと通信することが可能である。また、マルチモード無線端末５００は、第一の無線通信システムの無線セル５０２内に位置し、第一の無線通信システムの基地局５０１との接続が確立しており、通信状態あるいは待ち受け状態にあるものとする。
【００６８】
第一の無線通信システムの基地局５０１は、第一の無線通信システムを用いてマルチモード無線端末５００と、また第三の無線通信システムを用いて第三の無線通信システムの基地局５０３と通信することが可能であり、無線セル５０２内の無線チャネルの占有状況、無線端末の位置登録情報などを定期的にモニタし、これらのモニタ情報と基地局５０１が用いている制御チャネルなどのシステム情報をマルチモード無線端末５００に定期的に送信している。また、基地局５０１は、マルチモード無線端末５００との接続を保持しつつ、第二の無線通信システムの基地局１０３から送信される無線信号を間欠的に受信することが可能である。
【００６９】
第三の無線通信システムの基地局５０３は、第三の無線通信システムを用いてマルチモード無線端末５００、または第一の無線通信システムの基地局５０１と通信することが可能であり、無線セル５０４内の無線チャネルの占有状況、無線端末の位置登録情報などを定期的にモニタし、これらのモニタ情報と基地局５０３が用いている制御チャネルなどのシステム情報を前記マルチモード無線端末５００、または第一の無線通信システムの基地局５０１へ定期的に送信している。また、第一の無線通信システムの基地局５０１から送信された第一、または第二の無線通信システムに関するシステム情報を受信、登録し、登録したシステム情報を第三の無線通信システムを用いて無線セル５０４内の無線端末に定期的に送信する。
【００７０】
図９は、本発明の実施の形態２における第一の無線通信システムの基地局５０１の構成の一例を示すブロック図である。図９において図２と同じ構成要素については同じ参照番号を用い、その詳細な説明を省略する。
【００７１】
図９において基地局５０１は、第一の無線通信システム用アンテナを有する第一の無線部２００と、第二の無線通信システム用アンテナを有する第二の無線部２０１と、第二の無線部２０１の出力信号から第二の無線通信システムに関するシステム情報を検出するシステム検出部２０２と、第三の無線通信システム用アンテナを有する第三の無線部６００と、第二の無線部２０１の出力信号から第二の無線通信システムに関するシステム情報を検出するシステム検出部２０２と、基地局５０１の動作を制御する制御部６０１と、基地局５０１が通信の際に用いる所定のフレーム単位で構成された信号を生成する信号生成部６０２と、第一の無線通信システムに対応した所定のフレーム信号を生成する第一のフレーム生成部６０３と、第三の無線通信システムに対応した所定のフレーム信号を生成する第二のフレーム生成部６０４を具備する。
【００７２】
前記第三の無線部６００の入力端子は、制御部６０１と第二のフレーム生成部６０４の出力端子に接続されている。信号生成部６０２の入力端子は、前記制御部６０１の出力端子に接続されている。前記第二のフレーム生成部６０４の入力端子は、システム検出部２０２の出力端子に接続されている。
【００７３】
図１０は、本発明の実施の形態２におけるマルチモード無線端末５００の構成の一例を示すブロック図である。図１０において図３と同じ構成要素については同じ参照番号を用い、その詳細な説明を省略する。
【００７４】
図１０においてマルチモード無線端末５００は、第一の無線通信システム用アンテナを有する第一の無線部３００と、第二の無線通信システム用アンテナを有する第二の無線部３０１と、第三の無線通信システム用アンテナを第三の無線部７００と、第三の無線部７００の出力信号から第一、または第二の無線通信システムに関するシステム情報を検出するシステム検出部７０１と、マルチモード無線端末５００が利用可能な無線通信システムのシステム情報などを予め登録しておく記憶部３０３と、システム検出部３０２で検出した無線通信システムが、マルチモード無線端末５００にとって利用可能なシステムであるか否かを判断する判断部３０４と、前記判断部３０４の判断結果に基づいてマルチモード無線端末５００が通信に用いる無線通信システムを選択するシステム選択部３０５と、マルチモード無線端末５００の動作を制御する制御部７０２を具備する。
【００７５】
前記第三の無線部７００の入力端子は、制御部７０２の出力端子に接続されている。前期システム検出部７０１の入力端子は、第三の無線部７００の出力端子に接続されている。前記制御部７０２の入力端子は、システム選択部３０５の出力端子に接続されている。
【００７６】
図１１は、本発明の実施の形態２における第三の無線通信システムの基地局５０３の構成の一例を示すブロック図である。図１１において基地局５０３は、第三の無線通信システム用アンテナを有する無線部１０００と、無線部１０００の出力信号から第一、または第二の無線通信システムに関するシステム情報を検出するシステム検出部１００１と、システム検出部１００１で検出したシステム情報を登録する記憶部１００２と、記憶部１００２に登録してあるシステム情報を格納するためのビーコンフレームを生成するビーコン生成部１００３と、基地局５０３の動作を制御する制御部１００４を具備する。
【００７７】
前記無線部１０００の入力端子は、ビーコン生成部１００３と制御部１００４の出力端子に接続されている。前記システム検出部１００１の入力端子は、無線部１０００の出力端子に接続されている。前記記憶部１００２の入力端子は、システム検出部１００１の出力端子に接続されている。前記ビーコン生成部１００３の入力端子は、記憶部１００２と制御部１００４の出力端子に接続されている。
【００７８】
以上の構成により、第一の無線通信システムの基地局５０１が、マルチモード無線端末５００との接続が確立しているときに、前記基地局５０１が第一の無線通信システムとは異なる第二の無線通信システムに関するシステム情報を検出した場合に、前記基地局５０１が第三の無線通信システムを用いて第三の無線通信システムの基地局５０３に第二の無線通信システムに関するシステム情報を送信し、前記基地局５０３は第二の無線システムに関するシステム情報を受信し、記憶部に登録し、記憶部に登録されたシステム情報を第三の無線通信システムを用いて無線セル５０４内に位置する無線端末に定期的に送信することによって、マルチモード無線端末５００が第二の無線通信システムの無線セルの存在を知ることができる方法について説明する。
【００７９】
本実施の形態では、一例として図８に示すように、第一の無線通信システムの無線セル５０２、第二の無線通信システムの無線セル１０４、および第三の無線通信システムの無線セル５０４の位置関係は、無線セル５０４が無線セル１０４に含まれ、さらに無線セル５０２が無線セル５０４に含まれる関係にあるものとする。また、それぞれの無線通信システムでは所定のフレーム単位で通信が行われるものとし、前記第一の無線通信システムをＩＥＥＥ８０２．１１ｂ、第二の無線通信システムをＧＳＭ、第三の無線通信システムをＢｌｕｅｔｏｏｔｈとする。
【００８０】
まず、第一の無線通信システムすなわちＩＥＥＥ８０２．１１ｂの基地局５０１の構成、および動作について説明する。
【００８１】
図９において、第三の無線部６００は、Ｂｌｕｅｔｏｏｔｈに対応した通信仕様、および手順に基づき、第二のフレーム生成部６０４から入力される第二のフレーム信号ｓ１５に対して変調、周波数変換、増幅などの所定の送信処理を施し、第三の無線通信システムすなわちＢｌｕｅｔｏｏｔｈの基地局５０３へ定期的に送信するものである。これらの動作は制御部６０１から入力される制御信号ｓ１７に基づいて行われる。なお、本発明では、その詳細な構成は特に限定されるものではない。
【００８２】
信号生成部６０２は、基地局５０１がマルチモード無線端末５００との通信に用いるＩＥＥＥ８０２．１１ｂに対応した第一のフレーム信号ｓ１４を生成し、生成した第一のフレーム信号ｓ１４を第一の無線部２００へ出力するものである。また、Ｂｌｕｅｔｏｏｔｈの基地局５０３との通信に用いるＢｌｕｅｔｏｏｔｈに対応した第二のフレーム信号ｓ１５を生成し、生成した第二のフレーム信号ｓ１５を第三の無線部６００へ出力する。本実施の形態では一例として第一のフレーム信号ｓ１４を生成する第一のフレーム生成部６０３と第二のフレーム信号ｓ１５を生成する第二のフレーム生成部６０４を具備し、前記制御部６０１から入力される制御信号ｓ１６に基づいて、第一のフレーム生成部６０３、および第二の生成部６０４動作する。
【００８３】
第一のフレーム生成部６０３は、基地局５０１がマルチモード無線端末５００と通信する際に用いるＩＥＥＥ８０２．１１ｂに対応した第一のフレーム信号ｓ１４を生成し、第一のフレーム信号ｓ１４を第一の無線部２００へ出力するものである。さらに図示していないが、本実施の形態において第一のフレーム生成部６０３は、前述の実施の形態１において一例として示したように、ビーコン生成部とデータ生成部を具備するものとする。このとき前記制御信号ｓ１６に基づいて、マルチモード無線端末５００へＩＥＥＥ８０２．１１ｂの無線セル５０２の存在を知らせるためのビーコンフレームや、ユーザデータを送信するためのデータフレームを生成し、第一のフレーム信号ｓ１４として第一の無線部２００へ出力する。
【００８４】
第二のフレーム生成部６０３は、システム検出部２０２において検出した無線通信システムに関するシステム情報ｓ３をＢｌｕｅｔｏｏｔｈの基地局５０３に報知するために、システム情報ｓ３を格納したＢｌｕｅｔｏｏｔｈに対応した第二のフレーム信号ｓ１５を生成し、第二のフレーム信号ｓ１５を第三の無線部６００へ出力する。具体的には、Ｂｌｕｅｔｏｏｔｈでは、通信リンクをタイムスロットと呼ばれる６２５μ秒の長さに切り分け、このタイムスロット単位でパケット通信を行っている。図１２にＢｌｕｅｔｏｏｔｈのパケットフレーム構成を示す。図１２において、アクセスコードには同期、直流成分の補償、ピコネットの識別などのための情報が格納されている。ヘッダには通信リンクを管理するための情報が格納されている。ペイロードにはユーザデータが格納されている（「テクノロジー解体新書  Ｂｌｕｅｔｏｏｔｈ技術解説ガイド」、宮津和弘著、株式会社リックテレコム出版、２００１年６月１１日  第１版、第１刷発行、ｐ.７８−９６参照）。本実施の形態では、一例として、ペイロード内にシステム情報ｓ３を格納するものとする。
【００８５】
制御部６０１は、基地局５０１の動作を制御するものであり、前記第一の無線部２００、第二の無線部２０１、および第三の無線部６００に対して、間欠接続のタイミングなどを制御するための制御信号ｓ５、ｓ６、およびｓ１７を出力する。また、信号生成部６０２に対して、ＩＥＥＥ８０２．１１ｂに対応した第一のフレーム信号ｓ１４、もしくはＢｌｕｅｔｏｏｔｈに対応した第二のフレーム信号ｓ１５を所定のタイミングで生成するように制御するための制御信号ｓ１６を出力する。
【００８６】
具体的な制御例として、制御部６０１の制御信号に基づく基地局５０１の動作について説明する。図１３は、基地局５０１が第一の無線通信システムすなわちＩＥＥＥ８０２．１１ｂを用いてマルチモード無線端末５００と通信している際に、第二の無線通信システムすなわちＧＳＭに関するシステム情報を検出し、前記検出したシステム情報を第三の無線通信システムすなわちＢｌｕｅｔｏｏｔｈを用いて基地局５０３へ送信するまでの動作を示している。
【００８７】
図１３に示すように、時間ｔ１で制御部６０１は制御信号ｓ１６を信号生成部６０２へ出力し、信号生成部６０２は制御信号ｓ１６に基づいて第一のフレーム生成部６０３でＩＥＥＥ８０２．１１ｂに対応したデータフレームを生成し、第一のフレーム信号ｓ１４を第一の無線部２００へ出力する。時間ｔ２で制御部６０１は制御信号ｓ５を第一の無線部２００へ出力し、第一の無線部２００は制御信号ｓ５に基づいてマルチモード無線端末５００へ第一のフレーム信号ｓ１４を含む信号を送信する。
【００８８】
時間ｔ３以降所定の時間マルチモード無線端末５００との通信が続いた後、時間ｔ４で制御部６０１は間欠的にＧＳＭの基地局１０３から送信される無線信号を受信するために、第二の無線部２０１へ制御信号ｓ６を出力し、第二の無線部２０１は制御信号ｓ６に基づいて、ＧＳＭの基地局１０３から送信される無線信号を受信し、受信信号ｓ２をシステム検出部２０２へ出力する。このとき第一の無線部２００はマルチモード無線端末５００との接続を保持している。時間ｔ５でシステム検出部２０２は受信信号ｓ２からＧＳＭに関するシステム情報を検出し、検出したシステム情報ｓ３を信号生成部６０２内の第二のフレーム生成部６０４へ出力する。
【００８９】
時間ｔ６で制御部６０１は信号生成部６０２へ制御信号ｓ１６を出力し、信号生成部６０２は制御信号ｓ１６に基づいて内部の第二のフレーム生成部６０４で、システム検出部２０２で検出したシステム情報ｓ３を格納したＢｌｕｅｔｏｏｔｈに対応したビーコンフレームを生成し、第二のフレーム信号ｓ１５を第三の無線部６００へ出力する。時間ｔ７で制御部６０１は制御信号ｓ１７を第三の無線部６００へ出力し、第三の無線部６００は制御信号ｓ１７に基づいてＢｌｕｅｔｏｏｔｈの基地局５０３へ第二のフレーム信号ｓ１５を含む信号を送信する。以降、同様の動作を繰り返す。
【００９０】
次に第三の無線通信システムすなわちＢｌｕｅｔｏｏｔｈの基地局５０３の構成および動作について説明する。
【００９１】
図１１において、無線部１０００は、Ｂｌｕｅｔｏｏｔｈに対応した通信仕様、および手順に基づき、ユーザデータなどの信号に対して、変調、周波数変換、増幅などの所定の送信処理を行い、送信信号を送信するとともに、ＩＥＥＥ８０２．１１ｂの基地局５０１から送信された前記第二のフレーム信号ｓ１５を含む無線信号を定期的に受信、復調し、受信信号ｓ２１をシステム検出部１００１へ出力するものである。これらの動作は制御部１００４から入力される制御信号ｓ２５に基づいて行われる。なお、本発明ではその詳細な構成は特に限定されるものではない。
【００９２】
システム検出部１００１は、前記無線部１０００から受信信号ｓ２１が入力されたときに、受信信号ｓ２１からＩＥＥＥ８０２．１１ｂ、またはＧＳＭに関するシステム情報を検出し、検出したシステム情報ｓ２２を記憶部１００２へ出力する。本実施の形態ではＧＳＭに関するシステム情報を検出することになる。
【００９３】
記憶部１００２は、システム検出部１００１で検出した無線通信システムに関するシステム情報を登録するものである。これによりＢｌｕｅｔｏｏｔｈの基地局５０３はマルチモード無線端末５００の周辺に存在する複数の無線通信システムのシステム情報を一元的に管理することが可能になる。
【００９４】
ビーコン生成部１００３は、制御部１００４から入力された制御信号ｓ２６に基づいて前記記憶部１００２から登録してある無線通信システムに関するシステム情報ｓ２３を取得し、前記取得したシステム情報ｓ２３をＢｌｕｅｔｏｏｔｈを用いて無線セル５０４内の無線端末に送信する際に用いられるビーコンフレームｓ２４を生成し、無線部１０００へ出力する。
【００９５】
制御部１００４は、基地局５０３の動作を制御するものであり、無線部１０００に間欠接続、送受信のタイミングなどを制御するための制御信号ｓ２５を出力する。またビーコン生成部１００２にビーコンフレームを所定のタイミングで生成するように制御する制御信号ｓ２６を出力する。
【００９６】
具体的な制御例として、制御部１００４の制御信号に基づく基地局５０３の動作について説明する。図１４は、基地局５０３が第一の無線通信システムすなわちＩＥＥＥ８０２．１１ｂの基地局５０１から送信された第一および第二の無線通信システムすなわちＧＳＭに関するシステム情報を含んだ信号を受信、登録し、前記システム情報をマルチモード無線端末５００に送信するまでの動作を示している。
【００９７】
図１４に示すように、まず時間ｔ１で制御部１００４は無線部１０００に制御信号ｓ２５を出力し、無線部１０００は前記制御信号ｓ２５に基づいてＩＥＥＥ８０２．１１ｂの基地局５０１から送信されたＧＳＭに関するシステム情報を含む無線信号を受信し、受信信号ｓ２１をシステム検出部へ出力する。時間ｔ２でシステム検出部１００１は受信信号ｓ２１からＧＳＭに関するシステム情報を検出し、検出したシステム情報ｓ２２を記憶部１００２へ出力する。時間ｔ３で記憶部１００２はシステム検出部１００１で検出された無線通信システムに関するシステム情報ｓ２２を登録する。
【００９８】
時間ｔ４で制御部１００４は制御信号ｓ２６をビーコン生成部１００３へ出力し、ビーコン生成部１００３は記憶部１００２から登録されている無線通信システムに関するシステム情報ｓ２３を取得し、取得したシステム情報ｓ２３をＢｌｕｅｔｏｏｔｈに対応したビーコンフレームの所定の位置に格納し、ビーコンフレームｓ２４を無線部１０００に出力する。時間ｔ５で制御部ｓ２５は無線部１０００へ制御信号ｓ２５を出力し、無線部１０００は制御信号ｓ２５に基づいてマルチモード無線端末５００へビーコンフレームを定期的に送信する。以後、同様の動作を繰り返す。
【００９９】
次に、マルチモード無線端末５００の構成、および動作について説明する。
【０１００】
第三の無線部７００は、Ｂｌｕｅｔｏｏｔｈの基地局５０３から送信されたＧＳＭに関するシステム情報を含む無線信号を定期的に受信、復調し、受信信号ｓ１８をシステム検出部７０１へ出力するものである。これらの動作は制御部７０２から入力される制御信号ｓ２０に基づいて行われる。なお、本発明では、その詳細な構成は特に限定されるものではない。
【０１０１】
システム検出部７０１は、第三の無線部７００から出力される受信信号ｓ１８を入力とし、前記受信信号ｓ１８から基地局５０３の記憶部１００２に登録されている無線通信システムに関するシステム情報ｓ１９を検出し、検出したシステム情報ｓ１９を判断部３０４へ出力するものである。
【０１０２】
制御部７０２は、マルチモード無線端末５００の動作を制御するものであり、第一の無線部３００、第二の無線部３０１、および第三の無線部７００に対して、間欠接続のタイミングなどを制御するための制御信号ｓ１２、ｓ１３、およびｓ２０を出力する。
【０１０３】
次に具体的な制御例として、制御部７０２の制御信号に基づくマルチモード無線端末５００の動作例について説明する。図１５は、マルチモード無線端末５００がＩＥＥＥ８０２．１１ｂを用いてＩＥＥＥ８０２．１１ｂの基地局５０１と通信しているときに、間欠的にＢｌｕｅｔｏｏｔｈの基地局５０３から定期的に送信されているＧＳＭに関するシステム情報を受信し、通信に用いるシステムをＧＳＭに切替えるまでの動作例を示している。
【０１０４】
図１５に示すように、まず時間ｔ１で制御部７０２は制御信号ｓ１２を第一の無線部３００へ出力し、第一の無線部３００は制御信号ｓ１２に基づいてＩＥＥＥ８０２．１１ｂの基地局５０１との通信を開始する。時間ｔ２以降所定の時間基地局５０１との通信が続き、時間ｔ３で制御部７０２は制御信号ｓ２０を第三の無線部７００へ出力し、第三の無線部７００は制御信号ｓ２０に基づきＢｌｕｅｔｏｏｔｈの基地局５０３から定期的に送信されているＧＳＭのシステム情報を含む無線信号を受信し、受信信号ｓ１８をシステム検出部７０１へ出力する。このとき第一の無線部３００はＩＥＥＥ８０２．１１ｂの基地局５０１との接続を保持している。
【０１０５】
時間ｔ４でシステム検出部７０１は受信信号ｓ１８からＧＳＭに関するシステム情報を検出し、検出したシステム情報ｓ１９を判断部３０４へ出力する。時間ｔ５で判断部３０４はシステム検出部７０１で検出した無線通信システムがマルチモード無線端末５００において利用可能なシステムか否かを判断するために、記憶部３０３から予め登録してある利用可能な無線通信システムに関するシステム情報ｓ９を取得し、検出したシステム情報ｓ１９と登録してあるシステム情報ｓ９を比較し、判断結果ｓ１０をシステム選択部３０５へ出力する。本実施の形態では、システム情報ｓ１９が登録してあるシステム情報ｓ９と一致し、検出したＧＳＭは利用可能であると判断する。
【０１０６】
時間ｔ６でシステム選択部３０５は以降の通信で用いるシステムを選択する。ここでは、ＧＳＭを選択したこととし、選択結果ｓ１１を制御部７０２へ出力する。時間ｔ７で制御部７０２はシステム選択部３０５の選択結果ｓ１１に基づいて、マルチモード無線端末５００が以降の通信にＧＳＭを用いるように制御する。まず制御信号ｓ１２を第一の無線部３００へ出力し、第一の無線部３００はＩＥＥＥ８０２．１１ｂの基地局５０１との通信を終了する。次に時間ｔ８で制御部７０２は制御信号ｓ１３を第二の無線部３０１へ出力し、第二の無線部３０１はＧＳＭの基地局１０３との通信を開始する。
【０１０７】
以上の構成により、本実施の形態によれば、第一の無線通信システムの基地局５０１がマルチモード無線端末５００との接続が確立しているときに、自局で使用している第一の無線通信システムとは異なる第二の無線通信システムに関するシステム情報を検出すると、第二の無線通信システムに関するシステム情報を第三の無線通信システムに対応した所定のフレームに格納し、第三の無線通信システムの基地局５０３へ送信する。前記基地局５０３は、前記基地局５０１から送信された第二の無線通信システムに関するシステム情報を受信し、記憶部に登録することにより、マルチモード無線端末５００の周辺に存在する無線通信システムのシステム情報を管理できるようになる。さらに基地局５０３は記憶部に登録されているシステム情報を無線セル５０４内に位置する無線端末に定期的に送信する。マルチモード無線端末５００は必要に応じて第三の無線通信システムの基地局５０３から送信される基地局５０３に登録されている無線通信システムに関するシステム情報を受信することにより、現在接続が確立している無線通信システムとは異なる無線通信システムの無線セルの存在を知ることができる。
【０１０８】
なお、本実施の形態では第三の無線通信システムとしてＢｌｕｅｔｏｏｔｈを用いる構成としたが、これに限定されるものではない。第一の無線通信システムの基地局５０１から送信された第二の無線通信システムのシステム情報を含む信号をマルチモード無線端末５００へ中継可能な無線通信システムであればどのような無線通信システムでもよく、例えばＵＷＢ（Ultra Wide Band）を用いても良い。
【０１０９】
また、本実施の形態では、第一の無線通信システムの基地局５０１の第二の無線部２０１は、第二の無線通信システムの無線信号を受信する構成にしたが、これに限定されるものではなく、第二の無線通信システム以外の無線通信システムの無線信号を受信してもよく、また、システム検出部２０２は、第二の無線通信システム以外のシステム情報を検出しても良い。このようにすれば第一の無線通信システムの基地局５０１は、複数の無線通信システムの無線セルの存在を報知することができる。
【０１１０】
また、本実施の形態では、システム選択部３０５は、第一の無線通信システムと第二の無線通信システムのいずれかを選択する構成にしたが、これに限定されるものではない。第一、第二の無線通信システム以外の無線通信システムを検出した場合には、判断部３０４でその無線通信システムの有効性を判断し、その判断結果に基づいてシステム選択してもよい。
【０１１１】
また、本実施の形態では、第三の無線通信システムの基地局５０３は、第二の無線通信システムに関するシステム情報を含む無線信号を定期的に送信する構成にしたがこれに限定されるものではない。たとえばマルチモード無線端末５００から第二の無線通信システムの無線セルの存在に関する問い合わせが合ったときにのみ送信する構成にしてもよい。
【０１１２】
また、本実施の形態では、基地局５０１、５０３、およびマルチモード無線端末５００は、第一の無線通信システムに対応した第一の無線部と、第二の無線通信システムに対応した第二の無線部と、第三の無線通信システムに対応した第三の無線部を具備する構成にしたが、これに限定されるものではない。例えば、ソフトウェアの書き換えなどにより再構成可能なプログラマぶるデバイスを用いて複数の無線通信システムに対応可能な無線部を具備する構成にしても良い。この場合無線部の再構成に必要な情報は記憶部に登録しておき、使用する無線システムに対応した構成情報を記憶部から取り出し、無線部を再構成知ればよい。また、無線部の再構成に必要な構成情報が記憶部に登録されていない場合には、インターネットなどを通じて必要な情報をダウンロードする構成にしても良い。
【０１１３】
（実施の形態３）
図１６は、本発明の実施の形態３における無線通信システムの構成の一例を示す図である。図１６において、図１および図８と同じ構成要素については同じ参照番号を用い、その詳細な説明を省略する。
【０１１４】
図１６において、マルチモード無線端末５００は、第一の無線通信システム、第一の無線通信システムとは異なる第二の無線通信システム、および第一、第二の無線通信システムとは異なる第三の無線通信システムと通信することが可能である。またマルチモード無線端末５００は、無線セル１１０２内に位置し、第一の無線通信システムの基地局１１０１との接続が確立しており、通信状態あるいは待ち受け状態にあるものとする。
【０１１５】
第一の無線通信システムの基地局１１０１は、その無線セル１１０２内に存在するマルチモード無線端末５００と通信することが可能であり、無線セル１１０２内の無線チャネルの占有状況、位置登録情報などを定期的にモニタしており、これらのモニタ情報と基地局１１０１が用いている制御チャネルなどのシステム情報をマルチモード無線端末５００に定期的に送信している。
【０１１６】
第三の無線通信システムの基地局１１０３は、その無線セル１１０４内に存在するマルチモード端末５００と通信することが可能であり、無線セル１１０４内の無線チャネルの占有状況、位置登録情報などを定期的にモニタし、これらのモニタ情報と基地局１１０３が用いている制御チャネルなどのシステム情報を無線セル１１０４内の第三の無線通信システムに対応可能な無線端末に対して送信している。また、基地局１１０３は、第一の無線通信システムの基地局１１０１、および第二の無線通信システムの基地局１０３から送信される無線信号を間欠的に受信することが可能である。
【０１１７】
図１７は、第三の無線通信システムの基地局１１０３の構成の一例を示すブロック図である。図１７において基地局１１０３は、第一の無線通信システム用アンテナを有する第一の無線部１２００と、第二の無線通信システム用アンテナを有する第二の無線部１２０１と、第三の無線通信システム用アンテナを有する第三の無線部１２０２と、第一および第二の無線部の出力信号からそれぞれ第一の無線通信システムに関するシステム情報と、第二の無線通信システムに関するシステム情報を検出するシステム検出部１２０３と、システム検出部１２０３で検出したシステム情報を登録する記憶部１２０４と、基地局１１０３が記憶部１２０４に登録してあるシステム情報を第三の無線通信システムを用いて無線セル１１０４内のマルチモード無線端末５００に報知する際に、前記登録してあるシステム情報を格納するためのビーコンフレームを生成するビーコン生成部１２０５と、基地局１１０３の動作を制御する制御部１２０６を具備する。
【０１１８】
前記第一の無線部１２００の入力端子は、制御部１２０６の出力端子に接続されている。前記第二の無線部１２０１の入力端子は、制御部１２０６の出力端子に接続されている。前記第三の無線部１２０２の入力端子は、ビーコン生成部１２０５と制御部１２０６の出力端子に接続されている。前記システム検出部１２０３の入力端子は、第一の無線部１２００と第二の無線部１２０１の出力端子に接続されている。記憶部１２０４の入力端子は、システム検出部１２０３の出力端子に接続されている。ビーコン生成部１２０５の入力端子は、記憶部１２０４と制御部１２０６の出力端子に接続されている。
【０１１９】
以上の構成により、第三の無線通信システムの基地局１１０３が第三の無線通信システムとは異なる第一および第二の無線通信システムに関するシステム情報を検出し、検出したシステム情報を記憶部に登録し、第三の無線通信システムを用いて記憶部に登録された無線通信システムに関するシステム情報を無線セル１１０４内に位置する無線端末に送信することによって、マルチモード無線端末５００が第一の無線通信システムの基地局１１０１との接続が確立しているときに、第二の無線通信システムの無線セルの存在を知る方法について説明する。
【０１２０】
本実施の形態では、一例として図１６に示すように、第一の無線通信システムの無線セル１１０２、第二の無線通信システムの無線セル１０４および第三の無線通信システムの無線セル１１０４の位置関係は、無線セル１１０２が無線セル１０４に含まれ、さらに無線セル１１０４が無線セル１１０２に含まれる関係にあるものとする。また、第一の無線通信システム、第二の無線通信システム、および第三の無線通信システムでは所定のフレーム単位で通信が行われているものとし、第一の無線通信システムをＩＥＥＥ８０２．１１ｂ、第二の無線通信システムをＧＳＭ、第三の無線通信システムをＢｌｕｅｔｏｏｔｈとする。
【０１２１】
本実施の形態では、第三の無線通信システムすなわちＢｌｕｅｔｏｏｔｈの基地局１１０３の構成および動作についてのみ説明する。第一の無線通信システムすなわちＩＥＥＥ８０２．１１ｂの基地局１１０１は、ＩＥＥＥ８０２．１１ｂを用いてマルチモード無線端末５００と通信可能であればどのような構成であってもよく、また第二の無線通信システムすなわちＧＳＭの基地局１０３は、ＧＳＭを用いてマルチモード無線端末５００と通信可能であればどのような構成であってもよいので、ここでは説明を省略する。
【０１２２】
図１７において、第一の無線部１２００は、ＩＥＥＥ８０２．１１ｂに対応した通信仕様および手順に基づき、ＩＥＥＥ８０２．１１ｂの基地局１１０１から送信された無線信号を定期的に受信し、前記基地局１１０１からの無線信号を受信できたときには、受信信号を復調し、復調後の受信信号ｓ２７をシステム検出部１２０３へ出力するものである。これらの動作は制御部１２０６から入力される制御信号ｓ３２に基づいて行われる。なお、本発明ではその詳細な構成は特に限定されるものではない。
【０１２３】
第二の無線部１２０１は、ＧＳＭに対応した通信仕様および手順に基づき、ＧＳＭの基地局１０３から送信された無線信号を定期的に受信し、前記基地局１０３からの無線信号を受信できたときには、受信信号を復調し、復調後の受信信号ｓ２８をシステム検出部１２０３へ出力するものである。これらの動作は制御部１２０６から入力される制御信号ｓ３３に基づいて行われる。なお、本発明ではその詳細な構成は特に限定されるものではない。
【０１２４】
システム検出部１２０３は、前記第一、および第二の無線部から受信信号ｓ２７、およびｓ２８が入力されたときに、受信信号ｓ２７からＩＥＥＥ８０２．１１ｂに関するシステム情報を、受信信号ｓ２８からＧＳＭに関するシステム情報を検出し、検出したシステム情報ｓ２９を記憶部１２０４へ出力するものである。
【０１２５】
記憶部１２０４は、システム検出部１２０３で検出した無線通信システムに関するシステム情報を登録するものである。これによりＢｌｕｅｔｏｏｔｈの基地局１１０３はマルチモード無線端末５００の周辺に存在する複数の無線通信システムのシステム情報を管理することが可能になる。
【０１２６】
ビーコン生成部１２０５は制御部１２０６から入力された制御信号ｓ３５に基づいて記憶部１２０４に登録されている無線通信システムに関するシステム情報ｓ３０を記憶部１２０４から取得し、前記取得したシステム情報ｓ３０をＢｌｕｅｔｏｏｔｈを用いて送信する際に用いられるビーコンフレームｓ３１を生成し、第三の無線部１２０２へ出力する。
【０１２７】
制御部１２０６は、基地局１１０３の動作を制御するものであり、第一、第二および第三の無線部に間欠接続のタイミングなどを制御するための制御信号ｓ３２、ｓ３３、ｓ３４を出力する。また、ビーコン生成部１２０５へビーコンフレームを所定のタイミングで生成するように制御するための制御信号ｓ３５を出力する。
【０１２８】
具体的な制御例として、制御部１２０６の制御信号に基づく基地局１１０３の動作について説明する。図１８は、基地局１１０３が第一、または第二の無線通信システムすなわちＩＥＥＥ８０２．１１ｂ、またはＧＳＭの基地局１０３、１１０１から送信された無線信号を受信し、受信信号からＩＥＥＥ８０２．１１ｂ、またはＧＳＭに関するシステム情報を検出し、検出したシステム情報を第三の無線通信システムすなわちＢｌｕｅｔｏｏｔｈを用いてマルチモード無線端末５００に送信するまでの動作を示している。
【０１２９】
図１８に示すように、時間ｔ１でＩＥＥＥ８０２．１１ｂの無線セルの存在を走査するために、制御部１２０６は制御信号ｓ３２を第一の無線部１２００へ出力し、第一の無線部１２００は制御信号ｓ３２に基づいてＩＥＥＥ８０２．１１ｂの基地局１１０１から送信されたＩＥＥＥ８０２．１１ｂに関するシステム情報を含む無線信号を受信し、受信信号ｓ２７をシステム検出部１２０３へ出力する。時間ｔ２でＧＳＭの無線セルの存在を走査するために、制御部１２０６は制御信号ｓ３３を第二の無線部１２０１へ出力し、第二の無線部１２０１は制御信号ｓ３３に基づいてＧＳＭの基地局１０３から送信されたＧＳＭに関するシステム情報を含む無線信号を受信し、受信信号ｓ２８をシステム検出部１２０３へ出力する。
【０１３０】
時間ｔ３でシステム検出部１２０３は前記受信信号ｓ２７および受信信号ｓ２８からＩＥＥＥ８０２．１１ｂに関するシステム情報およびＧＳＭに関するシステム情報を検出し、検出したシステム情報ｓ２９を記憶部１２０４へ出力する。時間ｔ４で記憶部１２０４はシステム検出部１２０３で検出された無線通信システムに関するシステム情報ｓ２９を登録する。時間ｔ５で制御部１２０６は制御信号ｓ３５をビーコン生成部１２０５へ出力し、ビーコン生成部１２０５は記憶部１２０４から記憶部に登録してある無線通信システムに関するシステム情報ｓ３０を取得し、取得したシステム情報ｓ３０をＢｌｕｅｔｏｏｔｈに対応したビーコンフレームの所定の位置に格納し、ビーコンフレームｓ３１を第三の無線部１２０２へ出力する。
【０１３１】
時間ｔ６で制御部１２０６は第三の無線部１２０２へ制御信号ｓ３４を出力し、第三の無線部１２０２は制御信号ｓ３４に基づいてマルチモード無縁端末５００へビーコンフレームを定期的に送信する。以後同様の動作を繰り返す。
【０１３２】
マルチモード無線端末５００は本発明の実施の形態２と同様の動作をし、Ｂｌｕｅｔｏｏｔｈの基地局１１０３から送信された無線信号を受信する。
【０１３３】
以上の構成により、本発明の実施の形態によれば、第三の無線通信システムの基地局１１０３が第三の無線通信システムとは異なる第一および第二の無線通信システムに関するシステム情報を検出すると、検出したシステム情報を記憶部に登録し、さらに記憶部に登録されているシステム情報を第三の無線通信システムを用いてマルチモード無線端末５００へ定期的に送信し、マルチモード無線端末５００は必要に応じて第三の無線通信システムの基地局１１０３から送信される無線通信システムに関するシステム情報を受信することにより、マルチモード無線端末５００に現在接続が確立している無線通信システムとは異なる無線通信システムの無線セルの存在を報知することができる。
【０１３４】
なお、本実施の形態では第三の無線通信システムとしてＢｌｕｅｔｏｏｔｈを用いる構成としたが、これに限定されるものではない。第三の無線通信システムの基地局１１０３が検出した無線通信システムに関するシステム情報を無線セル１１０４内の無線端末に送信できる無線通信システムであればどのようなシステムでもよく、例えばＵＷＢ（Ultra Wide Band）を用いても良い。
【０１３５】
また、本実施の形態では、第三の無線通信システムの基地局１１０３は、記憶部１２０４に登録されている無線通信システムに関するシステム情報を含む無線信号を定期的に送信する構成にしたが、これに限定されるものではない。たとえばマルチモード無線端末５００から周辺存在する無線通信システムの無線セルに関する問い合わせがあったときにのみ送信する構成にしてもよい。
【０１３６】
なお、本実施の形態では、基地局１１０３は、第一の無線通信システムに対応した第一の無線部１２００と、第二の無線通信システムに対応した第二の無線部１２０１と、第三の無線通信システムに対応した第三の無線部１２０２を具備する構成にしたが、これに限定されるものではない。例えば、ソフトウェアの書き換えなどにより再構成可能なプログラマぶるデバイスを用いて複数の無線通信システムに対応可能な無線部を具備する構成にしても良い。この場合無線部の再構成に必要な情報は記憶部に登録しておき、使用する無線システムに対応した構成情報を記憶部から取り出し、無線部を再構成知ればよい。また、無線部の再構成に必要な構成情報が記憶部に登録されていない場合には、インターネットなどを通じて必要な情報をダウンロードする構成にしても良い。
【産業上の利用可能性】
【０１３７】
本発明の無線基地局装置および無線端末装置は、無線端末装置への負荷を増加させることなく、システム間ハンドオーバを容易に実現する効果を有し、二つ以上の異なる無線通信システムによる通信が可能な無線端末装置および当該無線端末装置と通信を行う無線基地局装置として有用である。
【図面の簡単な説明】
【０１３８】
【図１】本発明の実施の形態１における無線通信システムの構成を示す図
【図２】本発明の実施の形態１における第一の無線通信システムの基地局の構成を示すブロック図
【図３】本発明の実施の形態１におけるマルチモード無線端末の構成を示すブロック図
【図４】ＩＥＥＥ８０２．１１ｂのＭＡＣ副層フレームの基本構成およびビーコンフレームボディの構成要素を示す図
【図５】本発明の実施の形態１におけるＩＥＥＥ８０２．１１ｂのＭＡＣ副層フレームの構成を示す図
【図６】本発明の実施の形態１における第一の無線通信システムの基地局の動作例を示す図
【図７】本発明の実施の形態１におけるマルチモード無線端末の動作例を示す図
【図８】本発明の実施の形態２における無線通信システムの構成を示す図
【図９】本発明の実施の形態２における第一の無線通信システムの基地局の構成を示すブロック図
【図１０】本発明の実施の形態２におけるマルチモード無線端末の構成を示すブロック図
【図１１】本発明の実施の形態２における第三の無線通信システムの基地局の構成を示すブロック図
【図１２】Ｂｌｕｅｔｏｏｔｈのフレーム構成を示す図
【図１３】本発明の実施の形態２における第一の無線通信システムの基地局の動作例を示す図
【図１４】本発明の実施の形態２における第三の無線通信システムの基地局の動作例を示す図
【図１５】本発明の実施の形態２におけるマルチモード無線端末の動作例を示す図
【図１６】本発明の実施の形態３における無線通信システムの構成を示す図
【図１７】本発明の実施の形態３における第三の無線通信システムの基地局の構成を示すブロック図
【図１８】本発明の実施の形態３における第三の無線通信システムの基地局の動作例を示す図
【図１９】従来のマルチモード無線端末の構成の一例を示すブロック図
【符号の説明】
【０１３９】
１００、５００  マルチモード無線端末
１０１、１０３、５０１、５０３、１１０１、１１０３  基地局
１０２、１０４、５０２、５０４、１１０２、１１０４  無線セル
２００、３００、１２００  第一の無線部
２０１、３０１、１２０１  第二の無線部
２０２、３０２、７０１、１００１、１２０３  システム検出部
２０３、３０６、６０１、７０２、１００４、１２０６  制御部
２０４  フレーム生成部
２０５、１００３、１２０５  ビーコン生成部
２０６  データ生成部
３０３、１００２、１２０４  記憶部
３０４  判断部
３０５  システム選択部
６００、７００、１２０２  第三の無線部
６０２  信号生成部
６０３  第一のフレーム生成部
６０４  第二のフレーム生成部
１０００  無線部
【図１】
2005269109.tif 000003
【図２】
2005269109.tif 000004
【図３】
2005269109.tif 000005
【図４】
2005269109.tif 000006
【図５】
2005269109.tif 000007
【図６】
2005269109.tif 000008
【図７】
2005269109.tif 000009
【図８】
2005269109.tif 000010
【図９】
2005269109.tif 000011
【図１０】
2005269109.tif 000012
【図１１】
2005269109.tif 000013
【図１２】
2005269109.tif 000014
【図１３】
2005269109.tif 000015
【図１４】
2005269109.tif 000016
【図１５】
2005269109.tif 000017
【図１６】
2005269109.tif 000018
【図１７】
2005269109.tif 000019
【図１８】
2005269109.tif 000020
【図１９】
2005269109.tif 000021